(57)【要約】【課題】  着脱ユニットを効率良く充電し、電力の無駄な消費を防止できる電子装置を提供する。【解決手段】  各コネクタ５，６が接続されているか否かを判別するとともに、操作表示ユニット３の状態を検出し、接続状態において、操作表示ユニット３が省電力状態にある場合には、充電池８を急速充電し、操作表示ユニット３が動作状態にある場合には、充電池８の充電を抑制する。これによって操作表示ユニット３への供給電力の削減と充電時間の短縮を図り、効率良く充電する。また各コネクタ５，６が接続されていない場合には、電源部７からコネクタ５への電力供給を停止する。これによって剥き出しのコネクタ５からの、放電および他の物品の接触などによる無駄な電力消費を防止する。【選択図】      図１
2004282985.tif 000002
【特許請求の範囲】
【請求項１】
装置本体と、装置本体に着脱可能に設けられる着脱ユニットとを備え、装置本体に着脱ユニットが装着された状態において、装置本体の電力供給用接続手段と着脱ユニットの電力受給用接続手段とが接続されて、装置本体から着脱ユニットに電力を供給可能な電子装置であって、
着脱ユニットは、消費電力が大きい動作状態と、消費電力が小さい省電力状態との２つの状態に切り換えるユニットであり、
充電可能な充電池を保持する保持手段と、
着脱ユニットが動作状態および省電力状態のいずれの状態にあるか検出する状態検出手段と、
保持手段に保持される充電池の充電量を検出する電池充電量検出手段と、
電力供給用接続手段と電力受給用接続手段とが接続されているか否かを判別する着脱ユニット側接続判別手段と、
電力供給用接続手段と電力受給用接続手段とが接続されている状態において、着脱ユニットが省電力状態にあり、保持手段に保持される充電池が満充電状態でない場合には、充電池を急速充電し、着脱ユニットが動作状態にある場合には、充電池の充電を抑制する充電手段とを含むことを特徴とする電子装置。
【請求項２】
装置本体と、装置本体に着脱可能に設けられる着脱ユニットとを備え、装置本体に着脱ユニットが装着された状態において、装置本体の電力供給用接続手段と着脱ユニットの電力受給用接続手段とが接続されて、装置本体から着脱ユニットに電力を供給可能な電子装置であって、
装置本体は、
電源と、
電源に接続され、着脱ユニットに電力を供給するための前記電力供給用接続手段と、
電力供給用接続手段と電力受給用接続手段とが接続されているか否かを判別する装置本体側接続判別手段と、
電力供給用接続手段と電力受給用接続手段とが接続されていない場合には、電源から電力供給用接続手段への電力供給を停止する電力供給停止手段とを含むことを特徴とする電子装置。
【請求項３】
装置本体と、装置本体に着脱可能に設けられる着脱ユニットとを備え、装置本体に着脱ユニットが装着された状態において、装置本体の電力供給用接続手段と着脱ユニットの電力受給用接続手段とが接続されて、装置本体から着脱ユニットに電力を供給可能な電子装置であって、
着脱ユニットは、
照明部によって背後から照明して画像を表示する表示手段と、
充電可能な充電池を保持する保持手段と、
照明部が点灯している動作状態および照明部が消灯している省電力状態のいずれの状態にあるか検出する状態検出手段と、
電力供給用接続手段と電力受給用接続手段とが接続されているか否かを判別する着脱ユニット側接続判別手段と、
保持手段に保持される充電池の充電量を検出する電池充電量検出手段と、
電力供給用接続手段と電力受給用接続手段とが接続されている状態において、着脱ユニットが省電力状態にあり、保持手段に保持される充電池が満充電状態でない場合には、充電池を急速充電し、着脱ユニットが動作状態にある場合には、充電池の充電を抑制する充電手段とを含むことを特徴とする電子機器。
【請求項４】
前記充電手段は、充電池の充電を停止することによって充電を抑制することを特徴とする請求項１または３記載の電子装置。
【請求項５】
前記充電手段は、充電池をトリクル充電することによって充電を制御することを特徴とする請求項１または３記載の電子装置。
【請求項６】
充電停止およびトリクル充電のいずれか一方を選択する選択手段を含み、
充電手段は、選択手段によって充電停止が選択されている場合、充電池の充電を停止することによって充電を抑制し、選択手段によってトリクル充電が選択されている場合、充電池をトリクル充電して充電を抑制することを特徴とする請求項１または３記載の電子装置。
【請求項７】
電力受給用接続手段に、電力需給用接続手段を介して電力が供給されているか否かを判別する電力受給判別手段と、
電力供給用接続手段と電力受給用接続手段とが接続されている状態において、電力受給用接続手段に電力が供給されない場合、保持手段に保持される充電池から着脱ユニットへの電力の供給を停止する電力供給停止手段を含むことを特徴とする請求項１または３記載の電子装置。
【発明の詳細な説明】
【技術分野】
【０００１】
本発明は、着脱可能に設けられる着脱ユニットを備え、相互に装着された状態で、装置本体から着脱ユニットに電力を供給可能な電子装置に関する。
【背景技術】
【０００２】
第１の従来の技術として電子機器における充電に関する技術がある。この技術では、電子機器に電力源としての蓄電池が内蔵されるともに、蓄電池以外に、商用電源に接続可能な第２電源が設けられている。第２電源は、電子機器の各構成に電力を供給できるとともに、蓄電池に電力を供給して充電することができる。第２電源による電力の供給は、制御部によって制御され、電子機器の動作状態による電気的負荷が大きい場合には、第２電源による蓄電池の充電を禁止している。このようにして、電子機器の動作に必要な電力と、蓄電池の充電のための電力とを、同時に供給しない構成として、第２電源の小形化とコストダウンとを図っている（たとえば特許文献１参照）。
【０００３】
第２の従来の技術として、電気機器における電源に関する技術がある。この技術では、電気機器に電力源としての充電池が内蔵されるともに、充電池以外に、商用電源に接続可能な外部電源が設けられている。外部電源は、電気機器の各構成に電力を供給できるとともに、充電池に電力を供給して充電することができる。外部電源による電力の供給は、電源部によって制御され、電気機器が動作状態であればトリクル充電し、待機状態を含む非動作の場合は急速充電している。このようにして第１特許文献の技術と同様に、電源部の小形化とコストダウンとを図っている（たとえば特許文献２参照）。
【０００４】
第３の従来の技術として、コードレス電話装置における充電に関する技術がある。この技術では、子機は電池を内蔵しており、親機は、商用電源に接続可能なＡＣアダプタ（外部電源）と、子機の電池を充電する充電回路とを備えている。親機の送信回路が動作中には、前記充電回路を不動作として、親機から子機の電池への充電は、停止されている。この技術もまた、このようにしてＡＣアダプタの小形化を図っている（たとえば特許文献３参照）。
【０００５】
【特許文献１】特開平３−８９８１６号公報
【特許文献２】特開平４−３４０３３２号公報
【特許文献３】特開平６−３０３１８５号公報
【発明の開示】
【発明が解決しようとする課題】
【０００６】
第１および第２の従来の技術は、ＡＣアダプタから電子装置本体への充電の仕方を制御する技術であり、電子装置本体とこの電子装置本体に着脱可能に設けられる着脱ユニットとを有する電子装置における電子装置本体から着脱ユニットへの電力供給を、着脱ユニットの状態に基づいて制御する技術ではない。
【０００７】
また第３の従来の技術は、電子装置本体に相当する親機から、これに着脱可能なユニットに相当する子機への充電を、親機の状態に基づいて制御する技術であり、電子装置本体とこの電子装置本体に着脱可能に設けられる着脱ユニットとを有する電子装置における電子装置本体から着脱ユニットへの電力供給を、着脱ユニットの状態に基づいて制御する技術ではない。
【０００８】
このような現状において、電子装置本体と着脱ユニットとを有する電子装置において、電子装置本体から着脱ユニットを充電可能にし、着脱ユニットを効率良く充電する技術が望まれている。
【０００９】
また第１〜第３の従来の技術では、電力を供給する側において、接続部からの電力の無駄な消費を無くすように構成されていない。
【００１０】
本発明の目的は、電子装置本体から着脱ユニットが保持する充電池を効率良く充電できる電子装置を提供することである。
【００１１】
また本発明の目的は、電子装置本体に対して操作表示ユニットが離脱された状態にあるとき、電子装置本体における電力供給用の接続手段から電力が無駄に消費されてしまうことを防ぐことができる電子装置を提供することである。
【課題を解決するための手段】
【００１２】
本発明は、装置本体と、装置本体に着脱可能に設けられる着脱ユニットとを備え、装置本体に着脱ユニットが装着された状態において、装置本体の電力供給用接続手段と着脱ユニットの電力受給用接続手段とが接続されて、装置本体から着脱ユニットに電力を供給可能な電子装置であって、
着脱ユニットは、消費電力が大きい動作状態と、消費電力が小さい省電力状態との２つの状態に切り換えるユニットであり、
充電可能な充電池を保持する保持手段と、
着脱ユニットが動作状態および省電力状態のいずれの状態にあるか検出する状態検出手段と、
保持手段に保持される充電池の充電量を検出する電池充電量検出手段と、
電力供給用接続手段と電力受給用接続手段とが接続されているか否かを判別する着脱ユニット側接続判別手段と、
電力供給用接続手段と電力受給用接続手段とが接続されている状態において、着脱ユニットが省電力状態にあり、保持手段に保持される充電池が満充電状態でない場合には、充電池を急速充電し、着脱ユニットが動作状態にある場合には、充電池の充電を抑制する充電手段とを含むことを特徴とする電子装置である。
【００１３】
本発明に従えば、装置本体に、電源および電力供給用接続手段が設けられ、着脱ユニットに、電力受給用接続手段が設けられ、着脱ユニットが装置本体に装着される装着状態で、電力供給用接続手段と電力受給用接続手段とが接続され、装置本体から着脱ユニットに電力が供給される。着脱ユニットには、状態検出手段、着脱ユニット側接続判別手段、電池充電量検出手段および充電手段が設けられ、電力供給用接続手段と電力受給用接続手段とが接続されているか否かを判別し、電力供給用接続手段と電力受給用接続手段とが接続されている状態において、着脱ユニットが省電力状態にあり、保持手段に保持される充電池が満充電状態でない場合には、充電池を急速充電し、着脱ユニットが動作状態にある場合には、充電池の充電を抑制することができる。着脱ユニットが省電力状態にある場合には、着脱ユニットにおける消費電力が小さいので、充電池を急速充電することによって、着脱ユニットへの供給電力が大きくなることなく、できるだけ迅速に充電して充電時間を短縮することができる。着脱ユニットが動作状態にある場合には、着脱ユニットにおける消費電力が大きいので、充電池の充電を抑制することによって、着脱ユニットへの供給電力が大きくなることを防ぐことができる。このようにして着脱ユニットへの供給電力の削減と充電時間の短縮を図ることができ、効率良く充電することができる。まだ満充電でない場合に充電することによって、無駄な電力消費と充電池の劣化を防ぐことができる。
【００１４】
また本発明は、装置本体と、装置本体に着脱可能に設けられる着脱ユニットとを備え、装置本体に着脱ユニットが装着された状態において、装置本体の電力供給用接続手段と着脱ユニットの電力受給用接続手段とが接続されて、装置本体から着脱ユニットに電力を供給可能な電子装置であって、
装置本体は、
電源と、
電源に接続され、着脱ユニットに電力を供給するための前記電力供給用接続手段と、
電力供給用接続手段と電力受給用接続手段とが接続されているか否かを判別する装置本体側接続判別手段と、
電力供給用接続手段と電力受給用接続手段とが接続されていない場合には、電源から電力供給用接続手段への電力供給を停止する電力供給停止手段とを含むことを特徴とする電子装置である。
【００１５】
本発明に従えば、装置本体に、電源および電力供給用接続手段が設けられ、着脱ユニットに、電力受給用接続手段が設けられ、着脱ユニットが装置本体に装着される装着状態で、電力供給用接続手段と電力受給用接続手段とが接続され、装置本体から着脱ユニットに電力が供給される。装置本体には、装置本体側接続判別手段および電力供給停止手段が設けられ、電力供給用接続手段と電力受給用接続手段とが接続されているか否かを判別し、電力供給用接続手段と電力受給用接続手段とが接続されていない場合には、電源から電力供給用接続手段への電力供給を停止することができる。電力供給用接続手段は、着脱ユニットが装置本体に装着されていない離脱状態にある場合、外部に露出している。このように電力供給用接続手段が露出する状態で、電力供給用接続手段に電源から電力が供給可能な状態にあると、放電および他の物品の接触などによって、電力供給用接続手段から無駄に電力が消費されてしまうおそれがあるが、前述のように電力供給停止手段によって、電源から電力供給用接続手段への電力供給が停止されるので、電力の無駄な消費を確実に防ぐことができる。
【００１６】
また本発明は、装置本体と、装置本体に着脱可能に設けられる着脱ユニットとを備え、装置本体に着脱ユニットが装着された状態において、装置本体の電力供給用接続手段と着脱ユニットの電力受給用接続手段とが接続されて、装置本体から着脱ユニットに電力を供給可能な電子装置であって、
着脱ユニットは、
照明部によって背後から照明して画像を表示する表示手段と、
充電可能な充電池を保持する保持手段と、
照明部が点灯している動作状態および照明部が消灯している省電力状態のいずれの状態にあるか検出する状態検出手段と、
電力供給用接続手段と電力受給用接続手段とが接続されているか否かを判別する着脱ユニット側接続判別手段と、
保持手段に保持される充電池の充電量を検出する電池充電量検出手段と、
電力供給用接続手段と電力受給用接続手段とが接続されている状態において、着脱ユニットが省電力状態にあり、保持手段に保持される充電池が満充電状態でない場合には、充電池を急速充電し、着脱ユニットが動作状態にある場合には、充電池の充電を抑制する充電手段とを含むことを特徴とする電子機器である。
【００１７】
本発明に従えば、装置本体に、電源および電力供給用接続手段が設けられ、着脱ユニットに、電力受給用接続手段が設けられ、着脱ユニットが装置本体に装着される装着状態で、電力供給用接続手段と電力受給用接続手段とが接続され、装置本体から着脱ユニットに電力が供給される。着脱ユニットには、状態検出手段、着脱ユニット側接続判別手段、電池充電量検出手段および充電手段が設けられ、電力供給用接続手段と電力受給用接続手段とが接続されているか否かを判別し、電力供給用接続手段と電力受給用接続手段とが接続されている状態において、照明部が消灯している場合には、保持手段に保持される充電池を急速充電し、照明部が点灯してかつ電池が満充電でない場合には、保持手段に保持される充電池の充電を抑制することができる。照明部が消灯している場合には、着脱ユニットは消費電力が小さい省電力状態にあるので、充電池を急速充電することによって、着脱ユニットへの供給電力が大きくなることなく、できるだけ迅速に充電して充電時間を短縮することができる。照明部が点灯している場合には、着脱ユニットは消費電力が大きい動作状態にあるので、充電池の充電を抑制することによって、着脱ユニットへの供給電力が大きくなることを防ぐことができる。このようにして着脱ユニットへの供給電力の削減と充電時間の短縮を図ることができ、効率良く充電することができる。まだ満充電でない場合に充電することによって、無駄な電力消費と充電池の劣化を防ぐことができる。
【００１８】
また本発明は、前記充電手段は、充電池の充電を停止することによって充電を抑制することを特徴とする。
【００１９】
本発明に従えば、着脱ユニットが動作状態にある場合、充電池の充電が停止されるので、着脱ユニットが動作状態にある場合の着脱ユニットへの供給電力を確実に小さく抑えることができる。
【００２０】
また本発明は、前記充電手段は、充電池をトリクル充電することによって充電を制御することを特徴とする。
【００２１】
本発明に従えば、着脱ユニットが動作状態にある場合、充電池がトリクル充電されるので、着脱ユニットが動作状態にある場合にも充電池を少しずつ充電することができ、充電時間をさらに短縮することができる。
【００２２】
また本発明は、充電停止およびトリクル充電のいずれか一方を選択する選択手段を含み、
充電手段は、選択手段によって充電停止が選択されている場合、充電池の充電を停止することによって充電を抑制し、選択手段によってトリクル充電が選択されている場合、充電池をトリクル充電して充電を抑制することを特徴とする。
【００２３】
本発明に従えば、選択手段によって充電停止が選択されると、着脱ユニットが動作状態にある場合、充電池の充電が停止されるので、着脱ユニットが動作状態にある場合の着脱ユニットへの供給電力を確実に小さく抑えることができる。着脱ユニットが動作状態にあり、充電池が満充電状態である場合には、選択手段によって充電の停止を選択することによって、無駄な電力の消費を抑制することができる。
【００２４】
また選択手段によってトリクル充電が選択されると、着脱ユニットが動作状態にある場合、充電池がトリクル充電されるので、着脱ユニットが動作状態にある場合にも充電池を少しずつ充電することができ、充電時間をさらに短縮することができる。着脱ユニットが動作状態にあり、満充電状態でない場合には、選択手段によってトリクル充電を選択することによって、充電池が少しずつ充電され、充電時間を短縮することができる。また充電池が少しずつ充電されることによって、着脱ユニットを装置本体から離脱させても、着脱ユニットの動作状態を可及的長く保つことができる。
【００２５】
選択手段によって、充電停止およびトリクル充電を選択することによって、たとえば装置の状態に応じて充電の抑制の仕方を選択することができるので、利便性が向上する。
【００２６】
また本発明は、電力受給用接続手段に、電力需給用接続手段を介して電力が供給されているか否かを判別する電力受給判別手段と、
電力供給用接続手段と電力受給用接続手段とが接続されている状態において、電力受給用接続手段に電力が供給されない場合、保持手段に保持される充電池から着脱ユニットへの電力の供給を停止する電力供給停止手段を含むことを特徴とする。
【００２７】
本発明に従えば、電力受給判別手段と電力供給停止手段が設けられ、電力受給用接続手段に、電力需給用接続手段を介して電力が供給されているか否かを判別し、電力供給用接続手段と電力受給用接続手段とが接続されている状態において、電力受給用接続手段に電力が供給されない場合、保持手段に保持される充電池から着脱ユニットへの電力の供給を停止することができる。電力受給用接続手段に電力が供給されない場合には、充電池の充電を行なうことができない。このような場合に、充電池から着脱ユニットへの電力供給が停止されるので、無駄な充電池の消耗を防ぐことができる。
【発明の効果】
【００２８】
本発明によれば、着脱ユニットが省電力状態にある場合には、充電池を急速充電することによって、できるだけ迅速に充電して充電時間を短縮することができる。着脱ユニットが動作状態にある場合には、充電池の充電を抑制することによって、着脱ユニットへの供給電力が大きくなることを防ぐことができる。このようにして着脱ユニットへの供給電力の削減と充電時間の短縮を図り、効率良く充電することができる。
【００２９】
また本発明によれば、電力供給用接続手段は、着脱ユニットが装置本体に装着されていない離脱状態にある場合、外部に露出している。このように電力供給用接続手段が露出する状態では、電力供給停止手段によって、電源から電力供給用接続手段への電力供給が停止されるので、電力の無駄な消費を確実に防ぐことができる。
【００３０】
また本発明によれば、照明部が消灯している場合には、充電池を急速充電することによって、できるだけ迅速に充電して充電時間を短縮することができる。照明部が点灯している場合には、充電池の充電を抑制することによって、着脱ユニットへの供給電力が大きくなることを防ぐことができる。このようにして着脱ユニットへの供給電力の削減と充電時間の短縮を図り、効率良く充電することができる。
【００３１】
また本発明によれば、着脱ユニットが動作状態にある場合、充電池の充電が停止されるので、着脱ユニットが動作状態にある場合の着脱ユニットへの供給電力を確実に小さく抑えることができる。
【００３２】
また本発明によれば、着脱ユニットが動作状態にある場合、充電池がトリクル充電されるので、着脱ユニットが動作状態にある場合にも充電池を少しずつ充電することができ、充電時間をさらに短縮することができる。
【００３３】
また本発明によれば、充電停止およびトリクル充電を選択することによって、たとえば装置の状態に応じて充電の抑制の仕方を選択することができるので、利便性が向上する。
【００３４】
また本発明によれば、電力受給用接続手段に電力が供給されない場合には、充電池から着脱ユニットへの電力供給が停止されるので、無駄な充電池の消耗を防ぐことができる。
【発明を実施するための最良の形態】
【００３５】
図１は、本発明の実施の一形態である通信装置１を装置本体２に操作表示ユニット３が装着された状態で示す正面図である。図２は、通信装置１を装置本体２から操作表示ユニット３が離脱された状態で示す正面図である。通信装置１は、装置本体と、装置本体に着脱可能に設けられる着脱ユニットとを有し、着脱ユニットが充電池からの電力で動作可能なユニットである電子装置の一例である。本発明の電子装置は、通信装置１に限定されることはなく、前述のような装置本体と着脱ユニットとを有する電子装置全てに適用することができるが、本実施の形態では、通信装置１を例に挙げて説明する。
【００３６】
通信装置１は、たとえばファクシミリ装置として実現され、通信回線４を介して画像を含む各種の情報を通信、すなわち送受信可能であり、処理対象としての前記情報を、処理要求に応じて処理する情報通信処理装置である。この通信装置１は、装置本体２と、着脱ユニットである操作表示ユニット３を含んで構成される。情報の処理は、情報の表示、情報の送受信および情報の加工などを含む。ここで処理対象となる情報は、装置本体２および操作表示ユニット３の各入力手段で入力される情報および受信した情報である。
【００３７】
操作表示ユニット３は、装置本体２に対して、図１に示すように装着して装着状態とすることができるとともに、図２に示すように離脱して離脱状態とすることができる。装置本体２には、本体コネクタ５が設けられ、操作表示ユニット３には、ユニットコネクタ６が設けられる。また装置本体２には、商用電源に接続可能な電源部７が設けられ、操作表示ユニット３には、充電可能な蓄電池である充電池８が設けられる。操作表示ユニット３は、充電池８を保持する保持手段を有する。保持手段は充電池８を機械的に保持する。充電池８は、操作表示ユニット３に内蔵される。前記保持手段は、たとえば操作表示ユニット３の筺体および充電池ホルダなどによって実現される。さらに装置本体２には、装置アンテナ９が設けられ、操作表示ユニット３には、ユニットアンテナ１０が設けられる。
【００３８】
装着状態では、各コネクタ５，６は接続され、装置本体２と操作表示ユニット３とは電気的に接続され、各コネクタ５，６を介して、装置本体２の電源部７から操作表示ユニット３に電力を供給することができるとともに、装置本体２および操作表示ユニット３間で、有線通信によって、情報および制御指令の送受信が可能である。離脱状態では、各コネクタ５，６の接続は解除され、装置本体２から操作表示ユニット３への電力供給は停止され、装置本体２および操作表示ユニット３間は、各アンテナ９，１０を介して、ブルートゥースなどの無線通信によって、情報および制御指令の送受信が可能である。
【００３９】
装着状態では、操作表示ユニット３は、装置本体２から供給される電力によって駆動されて動作可能であるとともに、充電池８の充電が可能である。離脱状態では、操作表示ユニット３は、充電池８の電力によって駆動されて動作可能である。このように操作表示ユニット３は、装着状態と離脱状態とで、駆動される電力源が切り換る。
【００４０】
図３は、装置本体２の電気的構成を示すブロック図である。図１および図２を併せて参照して、装置本体２は、キーパネル部１５、モデム１６、ＮＣＵ１７、スキャナ部１８、印刷部１９、ハンドセット２０、本体無線送受信部２１、本体送受信メモリバッファ２２、本体ＵＳＢインターフェース２３、本体プログラム記憶部２４、本体情報記憶部２５および本体ＣＰＵ２６を有し、これら各構成は、本体データバス２７に接続されるこによって相互に接続される。また装置本体２は、本体アンテナ９、本体コネクタ５、給電停止スイッチ回路２８および電源部７をさらに有する。本体アンテナ９は、本体無線送受信部２１に接続されて設けられ、本体コネクタ５および給電停止スイッチ回路２８は、本体ＵＳＢインターフェース２３に接続され、また本体コネクタ５は、給電停止スイッチ回路２８を介して電源部７に接続されている。
【００４１】
キーパネル部１１は、ファンクションキー、テンキー、カーソルキーおよび決定キーなどの操作キーを含む入力操作用のキーパネル部である。操作者は、キーパネル部１５を操作することによって、処理対象としての情報を入力し、また情報の処理内容を表す処理要求を入力することができる。情報の処理内容は、たとえば情報の送信および情報の印刷を含む。
【００４２】
モデム１６は、情報および制御指令を含む送受信データを変復調する手段である。ネットワークコントロールユニットであるＮＣＵ（Network Control Unit）１７は、公衆電話交換ネットワークＰＳＴＮの通信回線４への接続および接続の解除を制御し、他の通信装置との通信の開始および終了を制御する。この通信は、情報の送信と情報の受信とを含む。
【００４３】
スキャナ部１８は、原稿を読取るための手段であり、たとえばファクシミリ通信によって送信する情報を読取る。読取った原稿の画像は、処理対象の情報である。つまりこのスキャナ部１８は、キーパネル部１５およびＮＣＵ１７と同様に、情報を入力する手段を構成する。印刷部１９は、情報を印刷する手段である。たとえば他の通信装置からファクシミリ通信によって受信した情報を印刷することもできるし、スキャナ部１８で読取った情報を印刷することもできる。この印刷部１８は、情報の出力手段として機能する。スキャナ部１８および印刷部１９を用いることによって、画像を複写することができる。
【００４４】
ハンドセット２０は、送話部および受話部を有する。このハンドセット２０の送話部から音声を入力し、受話部から音声を出力する。送話部から入力した音声を他の通信装置に送信することができるし、他の通信装置から受信した音声を受話部から出力することができる。つまりハンドセット２０を用いて他の通信装置と通話することができる。この音声も処理対象としての情報であり、ハンドセット２０は、情報の入力手段としての機能および情報の出力手段としての機能を有する。したがってキーパネル部１５、スキャナ部１８およびハンドセット２０を含んで装置本体２の入力手段が構成される。
【００４５】
本体無線送受信部２１は、情報および制御指令を本体アンテナ９から電波２９として送信することができる。また本体無線送受信部２１は、電波２９として到来する情報および制御指令を本体アンテナ９を介して受信することができる。この本体無線送受信部２１および本体アンテナ９は、操作表示ユニット３が装置本体２から離脱されているとき、操作表示ユニット３との間で無線通信するための手段である。
【００４６】
本体送受信メモリバッファ２２は、送受信データを一時的に記憶する手段である。本体プログラム記憶部２４は、リードオンリメモリ（Read Only Memory：ＲＯＭ）によって実現され、画像の送受信および通話などにおける情報の処理に係る装置本体２のルーチンワークなど、装置本体２における動作を達成するための制御プログラムを記憶している。本体情報記憶部２５は、ランダムアクセスメモリ（Random Access Memory：ＲＡＭ）またはフラッシュメモリなどの書き換え可能なメモリによって実現され、情報を記憶することができる。
【００４７】
本体ユーエスビー（Universal Serial Bus：ＵＳＢ）インターフェース２３は、本体コネクタ５を介した操作表示ユニット３との有線通信を可能にするための手段である。また本体ＵＳＢインターフェース２３は、給電停止スイッチ回路２８にも接続されており、給電停止スイッチ回路２８への動作の状態の取得および給電停止スイッチ回路２８の動作指令の少なくともいずれか一方をするために用いることができる。
【００４８】
本体中央演算処理ユニット（Central Processing Unit：ＣＰＵ）２６は、本体プログラム記憶部２４に記憶される制御プログラムを読み出して実行することによって、他の通信装置との通信および操作表示ユニット３との通信などを実行できるように、前述の各構成に制御指令を与えて制御する。また本体ＣＰＵ２６は、本体ＵＳＢインターフェース２３を制御して、給電停止スイッチ回路２８を制御することも可能である。
【００４９】
電源部７は、商用電源に接続可能であり、商用電源から電力を取得して、取得した電力を装置本体２を構成する前述の各構成に与えることができる。また電源部７は、本体コネクタ５が有する電力供給用接続手段としての電力供給用端子である第１本体端子Ｊ１（図７参照）に電力を供給し、この第１本体端子Ｊ１から本体コネクタ５を介して操作表示ユニット３に電力を供給することが可能である。
【００５０】
この電源部７と、本体コネクタ５との間に給電停止スイッチ回路２８が介在されている。この給電停止スイッチ回路２８は、装着状態にある場合は、第１本体端子Ｊ１への電源部７からの電力供給を許容し、離脱状態にある場合には、第１本体端子Ｊ１への電源部７からの電力供給を停止する。さらに具体的には、操作表示ユニット３が装置本体２に装着されない離脱状態では、本体ＣＰＵ２６から本体ＵＳＢインターフェース２３を介して与えられる制御指令に基づいて、第１本体端子Ｊ１への電力供給を停止する構成であってもよい。また装着状態および離脱状態だけでなく、ハンドセット２０が装置本体に装着されていない場合は、離脱状態と同様に、制御指令によって第１本体端子Ｊ１への電力供給を停止するようにしてもよい。つまり、ハンドセット２０および操作表示ユニット３が装置本体２に装着された状態では、第１本体端子Ｊ１への電力供給を許容し、ハンドセット２０および操作表示ユニット３の少なくともいずれか一方が装置本体２に装着されない時、本体ＣＰＵ２６からＵＳＢインターフェース２３を経由して制御指令を給電停止スイッチ回路２８に与え、これによって第１本体端子Ｊ１への電力供給を停止するように構成されてもよい。
【００５１】
図４は、操作表示ユニット３の電気的構成を示すブロック図である。図１および図２を併せて参照して、操作表示ユニット３は、Ｉ／Ｏコントローラ３０、バックライト制御部３１、液晶表示部３２、タッチペン入力部３３、キー入力部３４、表示用メモリ３５、タイマー３６、ブザー３７、ユニット無線送受信部３８、ユニット送受信メモリバッファ３９、ユニットＵＳＢインターフェース４０、ユニットプログラムメモリ４１、ユニット情報記憶部４２およびユニットＣＰＵ４３を有し、これら各構成は、ユニットデータバス４４に接続されることによって相互に接続される。
【００５２】
また操作表示ユニット３は、ユニットアンテナ１０、ユニットコネクタ６および充電手段である電源回路４５をさらに有する。ユニットアンテナ１０は、ユニット無線送受信部３８に接続されて設けられ、ユニットコネクタ６および電源回路４５は、ユニットＵＳＢインターフェース４０に接続されている。
【００５３】
操作表示ユニット３は、外見上、図１に示すように、ＶＧＡ（Video Graphics Array）画面である表示画面を有するカラーの液晶表示部３２と、前記表示画面の１／４程度の大きさの領域（図示省略）を有するタッチペン入力部３３とが一体に設けられるペンタッチ入力パネル一体型の表示パネル５０を有している。液晶表示部３２は、情報を表示する表示手段として機能し、制御指令に基づいて情報を表示する。
【００５４】
液晶表示部３２は、照明部であるバックライトを有し、バックライトを点灯させて背後から照明することによって、画像を表示する手段である。バックライトは、バックライト制御部３１によって、点灯および消灯が制御される。バックライト制御３１は、ユニットデータバス４４には直接接続されておらず、アイオー（Ｉ／Ｏ）コントローラ３０を介してユニットデータバス４４に接続されている。
【００５５】
ソフトキーを含むタッチペン入力部３３は、操作者が指などの身体の一部または入力用のペンを、表示パネル５０に接触させることによって、情報および処理要求を入力することができる。キー入力部３４は、カーソルキーおよび決定キーを含む十字キーを有する。操作者は、キー入力部３４を操作することによって、情報および処理要求を入力することができる。このキー入力部３４とタッチペン入力部３３とを含んで操作表示ユニット３の入力手段が構成される。
【００５６】
表示用メモリ３５は、たとえばＲＡＭによって実現され、液晶表示部３２に情報を表示するために用いられる。タイマー３６は、タイマー時間を設定し、予め定める動作の開始時刻など、所定の基準時刻からの経過時間を計測することができる。ブザー３７は、警報音など発生および予め定める報知内容を操作者に報知するなど、発鳴および各種報知が可能である。
【００５７】
ユニット無線送受信部３８は、情報および制御指令をユニットアンテナ１０から電波２９として送信することができる。また本体無線送受信部２１は、電波２９として到来する情報および制御指令をユニットアンテナ１０を介して受信することができる。このユニット無線送受信部３８およびユニットアンテナ１０は、操作表示ユニット３が装置本体２から離脱されているとき、装置本体２との間で無線通信するための手段である。
【００５８】
ユニット送受信メモリバッファ３９は、送受信データを一時的に記憶する手段である。ユニットプログラム記憶部４１は、ＲＯＭによって実現され、画像の送受信および通話などにおける情報の処理に係る操作表示ユニット３のルーチンワークなど、操作表示ユニット３における動作を達成するためのプログラムなどを記憶している。具体的には、インターネットホームページを閲覧するためのブラウザ５２、電子メールの送受信を行うためのメーラー５３、充電池８の充電動作を制御するための充電制御プログラム５４、シリアル転送方式のユニットＵＳＢインターフェース４０をサポートするオペレーションシステム（ＯＳ）５５およびその他の制御プログラム５６が格納されている。ユニット情報記憶部４２は、ＲＡＭまたはフラッシュメモリなどの書き換え可能なメモリによって実現され、情報を記憶することができる。
【００５９】
ユニットＵＳＢインターフェース４０は、ユニットコネクタ６を介した装置本体２との有線通信を可能にするための手段である。またユニットＵＳＢインターフェース４０は、電源回路４５にも接続されており、電源回路４５への動作の状態の取得および電源回路４５の動作指令の少なくともいずれか一方をするために用いることができる。
【００６０】
ユニットＣＰＵ４３は、ユニットプログラム記憶部４３に記憶されるブラウザ５２、メーラー５３、充電制御プログラム５４、ＯＳ５５および制御プログラム５６を読み出して実行することによって、装置本体２との通信はもちろん、インターネットホームページの閲覧、電子メールの送受信、充電の制御などを実行できるように、前述の各構成に制御指令を与えて制御する。またユニットＣＰＵ４３は、ユニットＵＳＢインターフェース４０を制御して、電源回路４５を制御することも可能である。
【００６１】
通信装置１は、ファクシミリ装置であるが、操作表示ユニット３の液晶表示部３２に、インターネットに接続されたサーバーに開設されるホームページの内容を、処理対象の情報として扱い、表示させて閲覧することができる。また電子メールの内容を情報として扱い、操作表示ユニット３の液晶表示部３２に、電子メールを表示させて確認したり、電子メールを送受信することができる。したがって表示パネル５０は、単なるファクシミリ装置の表示部としての働きとは別に、インターネットの閲覧ならびに電子メールの受信・送信の操作および表示ができるよう構成されている。
【００６２】
操作表示ユニット３は、装置本体２に対して着脱可能であり、図１に示すように装置本体２に装着し、図２に示すように装置本体２から離脱させることができる。この操作表示ユニット３は、表示手段である表示パネル５０による情報の表示を含む、情報の処理が可能である。操作表示ユニット３の入力手段は、装置本体２の入力手段と同様に、操作者が操作して通信装置１への指示、すなわち処理要求を入力することができる。
【００６３】
操作表示ユニット３が装置本体２に装着される装着状態では、各コネクタ５，６が接続されており、情報および制御指令は、装置本体２および操作表示ユニット３間で有線通信される。また操作表示ユニット３が装置本体２から離脱される離脱状態では、各コネクタ５，６の接続が解除されており、情報および制御指令は、装置本体２および操作表示ユニット３間で無線通信される。
【００６４】
ユニットコネクタ６は、電力受給用接続手段としての電力受給用端子である第１ユニット端子ＰＴ１（図５参照）を有している。操作表示ユニット３が装置本体２に装着される装着状態では、第１ユニット端子ＰＴ１が第１本体端子Ｊ１に接続され、装置本体２の電源部７から操作表示ユニット３の電源回路４５に電力が与えられる。電源回路４５は、装置本体２から供給される電力を、操作表示ユニット３の前述の各構成に供給することができる。また電源回路４５は、装置本体２から供給される電力を充電池８に与え、充電池８を充電することができる。操作表示ユニット３が装置本体２から離脱される状態では、電源回路４５は、充電池８の電力を操作表示ユニット３の前述の各構成に供給することができる。このように操作表示ユニット３は、この操作表示ユニット３の各構成に対する電力供給を、この操作表示ユニット３内蔵の充電池８に蓄えられている電力と、装置本体２から供給される電力とに、切り替えられる構造である。
【００６５】
図５は、電源回路４５の構成を示す電子回路図である。電源回路４５は、ＤＣ／ＤＣコンバータ６０、第１および第２フューズＦ１，Ｆ２、第１〜第４ダイオードＤ１〜Ｄ４、ツェナーダイオードＺＤ、第１および第２ユニットトランジスタＱ１，Ｑ２、第１および第２バッファＱ３，Ｑ４および第１〜第１０ユニット抵抗器Ｒ１〜Ｒ１０を含んで構成される。第１および第２フューズＦ１，Ｆ２は、過電流防止のための設けられ、第１〜第４ダイオードＤ１〜Ｄ４は、逆流防止のために設けられ、第１および第２ユニットトランジスタＱ１，Ｑ２は、ｐｎｐ形のユニットトランジスタであって、スイッチング素子として用いられ、第１および第２バッファＱ３，Ｑ４は、否定の論理演算をするインバータである。
【００６６】
充電池８は、ニッケル水素電池などの二次電池であって、公称電圧４．８Ｖ、電池容量１７００ｍＡＨ程度の小形高密度のものである。この充電池８の負極は接地されている。充電池８の正極には、第１フューズＦ１を介して、第１ダイオードＤ１のアノードが接続されている。この第１ダイオードＤ１のカソードは、ＤＣ／ＤＣコンバータ６０の入力ポートに接続されている。直流／直流（ＤＣ／ＤＣ）コンバータ６０は、入力ポートに与えられる電力を、出力ポートから操作表示ユニット３の電気回路伝体に、すなわち操作表示ユニット３の各構成に、ＶＯ１〜ＶＯｎで示す数種の直流安定化電圧で、電力を供給する。
【００６７】
負荷回路であるＤＣ／ＤＣコンバータ６０の入力ポートには、第３および第４ダイオードＤ３，Ｄ４ならびにツェナーダイオードＺＤのカソードが、第１ダイオードＤ１と共通に接続されている。ツェナーダイオードＺＤは、ＤＣ／ＤＣコンバータ６０のリミッターでサージの影響を抑制するために設けられている。このツェナーダイオードＺＤのアノードは接地されている。
【００６８】
ユニットコネクタ６は、前記第１ユニット端子ＰＴ１に加えて、第２および第３ユニット端子ＰＴ２，ＰＴ３を有し、電源回路４５は、第１〜第３ユニット端子ＰＴ１〜ＰＣ３に接続されている。第１ユニット端子ＰＴ１は、第２フューズＦ２を介して第２ダイオードＤ２および第３ダイオードＤ３のアノードにそれぞれ接続されている。第２ダイオードＤ２のカソードは、第１および第２ユニットトランジスタＱ１，Ｑ２のエミッタに接続されている。
【００６９】
第１ユニットトランジスタＱ１のベースは、直列に接続される第１および第２ユニット抵抗器Ｒ１，Ｒ２の中間点に接続されている。第１ユニット抵抗器Ｒ１の第１ユニットトランジスタＱ１に接続される側と反対側のポートは、第１バッファＱ３の出力ポートに接続される。この第１バッファＱ３の入力ポートは、Ｉ／Ｏコントローラ３０の出力ポートＣＨＧ１に接続される入力端子ＩＮ１に接続されている。第２ユニット抵抗器Ｒ２の第１ユニットトランジスタＱ１に接続される側と反対側のポートは、第２フューズＦ２と第２および第３ダイオードＤ２，Ｄ３との中間点に接続されている。
【００７０】
第２ユニットトランジスタＱ２のベースは、直列に接続される第３および第４ユニット抵抗器Ｒ３，Ｒ４の中間点に接続されている。第３ユニット抵抗器Ｒ３の第２ユニットトランジスタＱ２に接続される側と反対側のポートは、第２バッファＱ４の出力ポートに接続される。この第２バッファＱ４の入力ポートは、Ｉ／Ｏコントローラ３０の出力ポートＣＨＧ２に接続される入力端子ＩＮ２に接続されている。第４ユニット抵抗器Ｒ４の第２ユニットトランジスタＱ２に接続される側と反対側のポートは、第２ユニット抵抗器Ｒ２と同様に、第２フューズＦ２と第２および第３ダイオードＤ２，Ｄ３との中間点に接続されている。
【００７１】
第１ユニットトランジスタＱ１のコレクタは、第５ユニット抵抗器Ｒ５を介して、第１フューズＦ１と第１ダイオードＤ１との中間点に接続される。また第２ユニットトランジスタＱ２のコレクタは、第６ユニット抵抗器Ｒ６を介して、第１フューズＦ１と第１ダイオードＤ１との中間点に接続される。たとえば、第５ユニット抵抗器Ｒ５のユニット抵抗値は８Ωであり、第６ユニット抵抗器Ｒ６のユニット抵抗値は１００Ωであり、第５ユニット抵抗器Ｒ５のユニット抵抗値に比べて、第６ユニット抵抗器Ｒ６のユニット抵抗値が大きく設定されている。
【００７２】
第２ユニット端子ＰＴ２は、第４ダイオードＤ４のアノードに接続され、第３ユニット端子ＰＴ３は、接地されている。第１ユニット端子ＰＴ１は、離脱状態では、接地電位にあり、装着状態では、接地電位よりも充電池８の公称電圧よりやや高めの電圧を有する電位となるように、装置本体２から給電されている。第２ユニット端子ＰＴ２には、ユニットＵＳＢインターフェース４０でコントロールされる微弱電流Ｉｓ（サスペンションモード）が与えられている。
【００７３】
第７および第８ユニット抵抗器Ｒ７，Ｒ８は、直列に接続されている。第７ユニット抵抗器Ｒ７の第８ユニット抵抗器Ｒ８に接続される側と反対側は、第１フューズＦ１と第１ダイオードＤ１との中間点に接続される。第８ユニット抵抗器Ｒ８の第７ユニット抵抗器Ｒ７に接続される側と反対側は、接地されている。第７および第８ユニット抵抗器Ｒ７，Ｒ８の中間点は、Ｉ／Ｏコントローラ３０の入力ポートＢＡＴＭＯＮに接続される出力端子ＯＵＴ１に接続されている。第７および第８ユニット抵抗器Ｒ７，Ｒ８で分圧された中間点の接地電位に対する電圧は、Ｉ／Ｏコントローラ３０からユニットＣＰＵ４３に与えられ、充電池８の電圧監視に用いられる。
【００７４】
また第９および第１０ユニット抵抗器Ｒ９，Ｒ１０は、直列に接続されている。第９ユニット抵抗器Ｒ９の第１０ユニット抵抗器Ｒ１０に接続される側と反対側は、第２ダイオードＤ２と第１および第２ユニットトランジスタＱ１，Ｑ２との中間点に接続される。第１０ユニット抵抗器Ｒ１０の第１ユニット抵抗器Ｒ９に接続される側と反対側は、接地されている。第９および第１０ユニット抵抗器Ｒ９，Ｒ１０の中間点は、Ｉ／Ｏコントローラ３０の入力ポートＰＷＭＯＮに接続される出力端子ＯＵＴ２に接続されている。第９および第１０ユニット抵抗器Ｒ９，Ｒ１０で分圧された中間点の接地電位に対する電圧は、ＡＤ（Analog Digital）変換されてＩ／Ｏコントローラ３０からユニットＣＰＵ４３に与えられ、装置本体２からの供給される供給電圧の監視に用いられる。
【００７５】
各入力端子ＩＮ１，ＩＮ２には、Ｉ／Ｏコントローラ３０から、バックライトの状態を示す状態データとして、高レベル“Ｈ”（たとえば＋３〜＋５Ｖ）および低レベル“Ｌ”（たとえば０〜＋０．８Ｖ）の電圧で表される状態データが与えられる。各入力端子ＩＮ１，ＩＮ２に低レベル“Ｌ”の状態データ与えられている場合、第１および第２バッファＱ３，Ｑ４の出力は、高レベル“Ｈ”となり、第１および第２ユニットトランジスタＱ１，Ｑ２は閉状態となり、充電池８の充電が停止される。各入力端子ＩＮ１，ＩＮ２に高レベル“Ｈ”の状態データ与えられている場合、第１および第２バッファＱ３，Ｑ４の出力は、低レベル“Ｌ”となり、第１および第２ユニット抵抗器Ｒ１，Ｒ２の分岐点の電位ならびに第３および第４ユニット抵抗器Ｒ３，Ｒ４の分岐点の電位が下降し、第１および第２ユニットトランジスタＱ１，Ｑ２のベース電流が流れ、第１および第２ユニットトランジスタＱ１，Ｑ２は開状態となり、充電池８を充電することが可能になる。
【００７６】
操作表示ユニット３を統括的に制御する手段であるユニットＣＰＵ４３が、バックライトを消灯するように、Ｉ／Ｏコントローラ３０を介してバックライト制御部３１に制御指令を与えると、入力端子ＩＮ１に高レベル“Ｈ”の状態データが与えられ、入力端子ＩＮ２に低レベル“Ｌ”の状態データが与えられる。このとき、充電池８に向けて流入する充電電流Ｉ１の上限は第５ユニット抵抗器Ｒ５によって抑制される。
【００７７】
ユニットＣＰＵ４３が、バックライトを点灯するように、Ｉ／Ｏコントローラ３０を介してバックライト制御部３１に制御指令を与えると、入力端子ＩＮ１に低レベル“Ｌ”の状態データが与えられ、入力端子ＩＮ２に高レベル“Ｈ”の状態データが与えられる。このとき、充電池８に向けて流入する充電電流Ｉ２の上限は第６ユニット抵抗器Ｒ６によって抑制される。
【００７８】
たとえば前述のように、第５ユニット抵抗器Ｒ５のユニット抵抗値を８Ω、第６ユニット抵抗器Ｒ６のユニット抵抗値を１００Ωとすれば、第１ユニットトランジスタＱ１を介して流れる電流は、第２ユニットトランジスタＱ２を介して流れる電流の約１２倍とすることができる。すなわち、第１ユニットトランジスタＱ１と、第１、第２および第５ユニット抵抗器Ｒ１，Ｒ２，Ｒ５と、第１バッファＱ３を含んで急速充電回路が形成される。また第２ユニットトランジスタＱ２と、第３、第４および第６ユニット抵抗器Ｒ３，Ｒ４，Ｒ６と、第２バッファＱ４を含んでトリクル充電回路が形成される。本実施の形態では、バックライトが点灯している場合、トリクル充電が行われるが、入力端子ＩＮ２には、“Ｈ”と“Ｌ”が交互に変化するパルス列状の信号電圧の状態データが与えられる。
【００７９】
ＤＣ／ＤＣコンバータ６０の最も大きい負荷はバックライトの点灯電力である。バックライト制御部３１は昇圧型スイッチングレギュレータで構成され、Ｉ／Ｏコントローラ３０からバックライト制御部３１への出力ポートに、バックライト点灯のフラグが立つとバックライトが点灯し、大きな電流が消費される。逆にバックライト消灯のフラグが立つと消灯し、消費電流は大きく減少する。本実施の形態では、このようなバックライトが点灯する動作状態と、バックライトが消灯する省電力状態とを、Ｉ／Ｏコントローラ３０およびユニットＣＰＵ４２で監視、判定し、そのデータに基づいて、電源回路４５が、充電動作を制御している。したがって本実施の形態では、Ｉ／Ｏコントローラ３０およびユニットＣＰＵ４３は、状態検出手段である。
【００８０】
またＰＴ１に与えられる給電電圧は、装着状態と離脱状態とで異なるので、第９および第１０ユニット抵抗器Ｒ９，Ｒ１０の中間点の電圧を監視し、この供給電圧に関連するデータを出力端子ＯＵＴ２からＩ／Ｏコントローラ３０に与えることによって、ユニットＣＰＵ４２で装着状態と離脱状態とを判別することができる。したがって本実施の形態では、Ｉ／Ｏコントローラ３０およびユニットＣＰＵ４３は、ユニット側接続判別手段である。
【００８１】
また本実施の形態では、電源回路４５が充電手段であり、Ｉ／Ｏコントローラ３０およびユニットＣＰＵ４３が操作表示ユニット３の状態に応じて、電源回路４５による充電動作を制御する充電制御手段である。
【００８２】
本実施の形態では、充電池８の充電量を検出する電池充電量検出手段が設けられる。また本実施の形態では、充電池８は、保持手段に着脱可能に保持される。このような本実施の形態では、充電池８が装着、すなわち接続されているか否かを判定する電池装着検出手段が設けられている。
【００８３】
充電池８の充電量は、充電池８の充電電圧、つまり正極の接地電位に対する電圧との間に相関関係を有している。したがって充電池８が装着、すなわち電源回路４５に接続されていることを前提として、前記充電電圧を検出することによって、充電量を検出、つまり満充電であるか否かを検出することができる。充電電圧が「０」の場合、充電量は「０」であり、充電電圧が予め定める電圧の場合、充電量は満充電である。
【００８４】
したがって、充電電圧に関連するデータを、出力端子ＯＵＴ１からＩ／Ｏコントローラ３０に与えることによって、ユニットＣＰＵ４２によって、充電量を検出することができる。したがって本実施の形態では、Ｉ／Ｏコントローラ３０およびユニットＣＰＵ４３は、電池充電量検出手段である。
【００８５】
本実施の形態では、充電池８が着脱可能であり、充電池８が離脱、すなわち電源回路４５に接続されていない場合がある。充電池８が離脱されている状態では、第１ユニット端子ＰＴ１に装置本体２から供給電圧が与えられた状態で、入力端子ＩＮ２に高レベル“Ｈ”を与えても、充電電流Ｉ２が流れない。これを利用し、第１ユニット端子ＰＴ１に装置本体２から供給電圧が与えられ、かつ入力端子ＩＮ２に高レベル“Ｈ”を与えた状態の充電電圧を検出するこによって、充電池８が装着されているか否かを検出することができる。
【００８６】
したがって、第１ユニット端子ＰＴ１に装置本体２から供給電圧が与えられ、かつ入力端子ＩＮ２に高レベル“Ｈ”を与えた状態で、充電電圧に関連するデータを、出力端子ＯＵＴ１からＩ／Ｏコントローラ３０に与えることによって、ユニットＣＰＵ４２によって、充電池８が装着されているか否かを検出することができる。したがって本実施の形態では、Ｉ／Ｏコントローラ３０およびユニットＣＰＵ４３は、電池装着検出手段である。
【００８７】
また本発明の他の実施の形態において電池装着検出手段は、たとえば充電池８が操作表示ユニット３に装着された状態、つまり充電池８が保持手段に保持された状態と、充電池８が操作表示ユニット３から離脱した状態とでスイッチング態様が変化する機械的なスイッチとユニットＣＰＵ４３とを含んで実現され、ユニットＣＰＵ４３が前記スイッチのスイッチング態様を判別することによって、充電池８の着脱を検出してもよい。本発明の他の実施の形態において、充電池８は操作表示ユニット３に固定して設けられてもよい。本発明の他の実施の形態において、電池装着検出手段は電池充電量検出手段によって実現されてもよい。
【００８８】
このようにして、第１ユニット端子ＰＴ１には、装着状態にある場合、上記バックライトが点灯しているときは、充電池８の端子電圧の如何に関わらず、急速充電を止めトリクル充電に切り換える。したがって、装置本体２からの殆どの供給電力は第１ユニット端子ＰＴ１から第２フューズＦ２、第３ダイオードＤ３を経て流入する負過電流Ｉ３によって消費される。充電池８の端子電圧が満充電に到っていなければトリクル充電し、第２ダイオードＤ２、第２ランジスタＱ２、第６ユニット抵抗器Ｒ６を経て充電電流Ｉ２が流れている。充電池８の端子電圧は、第７および第８ユニット抵抗器Ｒ７，Ｒ８の中間位置における電圧に基づいて検出され、これに基づいて、満充電の場合は、充電を停止し、満充電でない場合には、操作表示ユニット３の状態に基づいて、急速充電およびトリクル充電のいずれかで充電するように充電制御手段が制御する。
【００８９】
図６は、充電回路４５の充電電流制御の動作を示すタイミングチャートである。図６（Ａ）は、入力端子ＩＮ２に印加されるパルス列電圧波形を示し、図６（Ｂ）は、これに対応する第２ユニットトランジスタＱ２に流れる充電電流Ｉ２を示す。図６（Ｃ）は、入力端子ＩＮ１に印加される電圧波形を示し、図６（Ｄ）は、これに対応する第１ユニットトランジスタＱ１に流れる充電電流Ｉ１を示す。
【００９０】
バックライト点灯を制御手段（Ｉ／Ｏコントローラ３０およびユニットＣＰＵ４３が検出すると、入力端子ＩＮ２への出力信号、すなわち状態データは“Ｈ”に保持されてトリクル充電が開始され、入力端子ＩＮ１への状態データは“Ｌ”に保持されて急速充電が停止される。この例では、図６（Ａ）の状態データの入力によって、図６（Ｂ）の充電電流Ｉ２で充電される。
【００９１】
たとえば充電池８の端子電圧が４．４ボルト（Ｖ）であり、第１ユニット端子ＰＴ１の供給電圧が５．９ボルト（Ｖ）であり、第２ダイオードＤ２および第２ユニットトランジスタＱ２での電圧降下の合計を０．５ボルト（Ｖ）として、デューティ５０％のスイッチング動作で第２ユニットトランジスタＱ２がオンオフ（開閉）するトリクル充電を継続すれば、充電電流Ｉ２の平均電流は５ミリアンペア（ｍＡ）と小さい値である。
【００９２】
たとえばバックライト点灯時の実際の消費電力を１，１００ミリワット（ｍＷ）程度とみて、電源電圧５．９ボルト（Ｖ）とすると、バックライト消費電流は１８６ミリアンペア（ｍＡ）程度である。したがって、充電電流Ｉ２はバックライト消費電流の２．７％と僅かな電流値に押さえられる。
【００９３】
バックライト消灯を制御手段（Ｉ／Ｏコントローラ３０およびユニットＣＰＵ４３）が検出すると、入力端子ＩＮ２への状態データが“Ｌ”に保持されてトリクル充電が停止され、入力端子ＩＮ１への状態データが“Ｈ”に保持され、充電池８への急速充電が始まる。この例では、図６（Ｃ）の状態データの入力によって、図６（Ｄ）の充電電流Ｉ１で充電される。
【００９４】
たとえば充電池８の端子電圧が４．４ボルト（Ｖ）であり、第１ユニット端子ＰＴ１の供給電圧が５．９ボルト（Ｖ）であり、第２ダイオードＤ２と第１ユニットトランジスタＱ１での合計の電圧降下を０．５ボルト（Ｖ）として、第１ユニットトランジスタＱ１のスイチング・オン動作で急速充電が開始され、その時の充電電流Ｉ１は１２５ミリアンペア（ｍＡ）と大きく、バックライト消費電流に近い電流値となる。もし、充電池の端子電圧が４ボルト（Ｖ）であれば充電電流Ｉ１は約１８０ミリアンペア（ｍＡ）となり、充電電流Ｉ１はバックライト消費電流と同等になる。
【００９５】
以上を詳述すると、小さな電流を無視すれば、操作表示ユニット３における電流の関係は、第１ユニット端子ＰＴ１に供給される電流をＩ０、急速充電電流をＩ１、トリクル充電電流をＩ２、操作表示ユニット３における消費電力をＩ３、充電池８への電流をＩ４として、以下のようになる。
【００９６】
操作表示ユニット３が装置本体２に接続される装着状態において、
（１）表示用バックライト消灯中は急速充電であり、Ｉ０＝Ｉ１＋Ｉ３、Ｉ１＝Ｉ４となる。また、
（２）表示用バックライト点灯中はトリクル充電であり、Ｉ０＝Ｉ２＋Ｉ３、Ｉ２＝Ｉ４となる。
このように、供給電流Ｉ０は負荷電流Ｉ３と充電電流Ｉ４の合計となる。
【００９７】
操作表示ユニット３が装置本体２から離脱される離脱状態において、
（３）表示用バックライト消灯中は、Ｉ０＝０、Ｉ１＝０、Ｉ３＝−Ｉ４となる。また、
（４）表示用バックライト点灯中は、Ｉ０＝０、Ｉ１＝０、Ｉ３＝−Ｉ４となる。
このように、負荷電流Ｉ３の全てが、充電池から流出する電流−Ｉ０で消費される。
【００９８】
図７は、装置本体２の給電停止スイッチ回路２８の構成を示す電子回路図である。図７において１点鎖線の右側は装置本体２であり、左側が操作表示ユニット３である。本体コネクタ５が、第１、第３、第４本体端子Ｊ１，Ｊ３，Ｊ４を有し、ユニットコネクタ６は、さらに第４ユニット端子ＰＴ４を有する。本体コネクタ５には、第２ユニット端子ＰＴ２に対応するコネクタ端子はない。対応関係の理解を容易にするために、第２コネクタ端子という用語は用いない。各コネクタ５，６が接続されると、第１、第３、第４本体端子Ｊ１，Ｊ３，Ｊ４と、第１、第３、第４ユニット端子ＰＴ１，ＰＴ３，ＰＴ４とがそれぞれ接続される。
【００９９】
給電停止スイッチ回路２８は、第１および第２本体トランジスタＱ５，Ｑ６と、第１および第２本体抵抗器Ｒ１１，Ｒ１２を含んで構成される。第１および第２本体トランジスタＱ５，Ｑ６は、ｐｎｐ形のトランジスタである。電源部７は、交流である商用電源を直流に変換して電力を供給する交流／直流（ＡＣ／ＤＣ）コンバータとしての機能を有する。この電源部７の出力ポートから、たとえば６Ｖ程度の直流電圧が給電される。この電源部７の出力ポートと第４本体端子Ｊ４との間に第１および第２本体抵抗器Ｒ１１，Ｒ１２が直列に接続されている。
【０１００】
第１および第２本体トランジスタＱ５，Ｑ６は、ダーリントン接続されている。つまり第１本体トランジスタＱ５のエミッタに第２本体トランジスタＱ６のベースが接続されている。第１本体トランジスタＱ５のベースは、第１および第２本体抵抗器Ｒ１１，Ｒ１２との中間点に接続されている。第２本体トランジスタＱ６のエミッタは、電源部７の出力ポートに接続されている。第１および第２本体トランジスタＱ５，Ｑ６のコレクタは、ともに第１本体端子Ｊ１に接続されている。また第３本体端子Ｊ３は、接地されている。
【０１０１】
この給電停止スイッチ回路２８は、電源部７が商用電源に接続され、出力ポートから電力、実施には電圧が給電されていると、第２本体トランジスタＱ６のエミッタに前記電圧が給電される。操作表示ユニット３が装置本体２に接続されていると、第４本体端子Ｊ４が第４ユニット端子ＰＴ４に接続されている。第４ユニット端子ＰＴ４は、直接またはユニットＵＳＢインターフェース４０の制御出力によって間接的に、接地されており、第４本体端子Ｊ４も接地される。このように第２本体トランジスタＱ６のエミッタに給電され、かつ第４本体端子Ｊ４が接地されると、第１および第２本体抵抗器Ｒ１１，Ｒ１２に電流が流れ、分圧点である中間点の電圧が電源部７の出力ポートよりも低くなり、第１本体トランジスタＱ５のベース電圧が下がり、ダーリントン接続された２個の第１および第２トランジスタＱ５，Ｑ６の両方にベース電流が流れ、第１および第２本体トランジスタＱ５，Ｑ６が開状態となり、装置本体２から操作表示ユニット３への給電つまり電力供給が開始される。
【０１０２】
装置本体２から操作表示ユニット３が離脱されると、各コネクタ５，６が機械的および電気的に接続解除される。この状態では、第４本体端子Ｊ４がオープンとなり、電源部７の出力ポートと同一電圧となる。これによって第１本体トランジスタＱ５のベース電圧は電源部７の出力電圧と同じになり、第１および第２本体トランジスタＱ５、Ｑ６は閉状態となり、給電停止スイッチ回路が閉じて、第１本体端子Ｊ１は電源部７から開放され、この端子Ｊ１への給電が停止される。このように装着状態では、第１本体端子Ｊ１への給電を許容し、離脱状態では、第１本体端子Ｊ１への給電を停止することができる。
【０１０３】
第４本体端子Ｊ４は、第４ユニット端子ＰＴ４を用いることなく、装置本体２において、直接Ｉ／Ｏポートに接続して、接地および非接地をプログラム制御するようにしてもよい。この場合、たとえばリミットスイッチなど検出手段を用いて、装着状態および離脱状態を検出し、これに基づいて、第４本体端子Ｊ４の接地および非接地を制御すればよい。
【０１０４】
このような給電停止スイッチ回路２８は、第１および第２本体抵抗器Ｒ１１，Ｒ１２を含む構成によって、第１本体端子Ｊ１と第１ユニット端子ＰＴ１が接続されているか否かを判別する判別手段として機能し、第１および第２本体トランジスタＱ５，Ｑ６を含む構成によって、第１本体端子Ｊ１と第１ユニット端子ＰＴ１が接続されていない場合には、第１本体端子Ｊ１への電力供給を停止する機能を有する。
【０１０５】
図８は、電源回路４５の制御動作を示すフローチャートである。図８には、前提として、装置本体２の電源スイッチはＯＮされて、装置本体２から操作表示ユニット３への電力供給が可能であり、操作表示ユニット３の電源装置がＯＮされて、電源回路４５およびその他の各構成が動作可能な状態から開始される動作を示す。この動作は、操作表示ユニット３のＩ／Ｏコントローラ３０およびユニットＣＰＵ４３を含む制御手段の制御に基づくものである。
【０１０６】
前述の状態となったステップＳ０から制御動作が開始され、ステップＳ１において、装置本体２に操作表示ユニット３が装着されているかを、ユニット側接続判別手段の結果に基づいて確認する。装着されていればステップＳ２に進み、装置本体２からの電力供給で操作表示ユニット３が稼動され、所定の処理をするように各構成を制御する。続くステップＳ３では、液晶表示用バックライトが点灯中かを、状態検出手段の結果に基づいて、確認する。このステップＳ３で、Ｉ／Ｏコントローラの出力ポートにバックライト点灯のフラグが立っていれば（点灯中）、ステップＳ４に進み、もしバックライト点灯フラグが立っていなければ（消灯中）、ステップＳ８に進む。
【０１０７】
ステップＳ４では、充電池８があるか否か、すなわち充電池８が装着されているか否かを、電池着脱検出手段の結果に基づいて確認し、充電池８がある場合には、ステップＳ５に進み、充電池８がない場合には、ステップＳ７に進む。ステップＳ５では、トリクル充電するように電源回路４５を制御し、ステップＳ６に進む。
【０１０８】
続くステップＳ６では、充電池８が満充電か否かを電池充電量検出手段の結果に基づいて確認する。具体的には、充電池８の正極の端子電圧である充電電圧が予め定める電圧（指定値、例えば５．２Ｖ）以上かを確認し、指定値未満ならば満充電でないと判断し、ステップＳ５に戻り充電が繰り返される。一方この確認で充電池８の端子電圧が指定値以上となれば、充電池８が満充電と判断し、ステップＳ７に進む。ステップＳ７では、充電電力の供給を停止し、ステップＳ１に戻る。
【０１０９】
ステップＳ８では、ステップＳ４と同様に、充電池８があるか否かを確認し、充電池８がある場合には、ステップＳ９に進み、充電池８がない場合には、ステップＳ７に進む。ステップＳ９では、ステップＳ６と同様に、充電池８が満充電か否かを確認し、満充電でないと判断した場合には、ステップＳ１０に進み、満充電であると判断した場合には、ステップＳ７に進む。ステップＳ１０では、急速充電するように電源回路４５を制御し、ステップＳ６に進む。
【０１１０】
操作表示ユニット３が装置本体２に装着中はこのループを繰り返し、ステップＳ１の結果、装置本体２から操作表示ユニット３が取り外されていると判断されると、ステップＳ１１に進む。ステップＳ１１において、操作表示ユニット３に内蔵される充電池８の電力で、操作表示ユニット３全体の電力供給をまかないながら、所定の処理をするように各構成を制御する。
【０１１１】
次にステップＳ１２にて充電池８の端子電圧（充電電圧）が許容値（例えば４．４Ｖ）以上であるか否かを確認する。許容値未満であれば、ステップＳ１３に進み、許容値以上であれば、ステップＳ１４に進む。ステップＳ１３では、充電池８を充電すべきであることを操作者に知らせるため、ブザー３７によるブザー発鳴および表示画面上に「要充電」または「装置本体に取り付けください」等の表示を出力し、充電池８への充電を直接的に操作者に促すように報知する。そしてステップＳ１４に進む。この例のフローでは１回の報知であるがＮ（Ｎは２以上の整数）回繰り返して注意を促す方法であってもよい。
【０１１２】
続くステップＳ１４ではタイマー３６で、Ｔｊ＝τ（１０分〜１２０分）をセットし、任意の時間の時限タイマーをスタートする。ステップＳ１５において、設定したタイマーが、遅延時間τ分（例えば１５分）経った否かを判定し、経過していなければ、ステップＳ１４に戻る。すなわち設定した時間τ分経過するまで、この時間経過確認のステップを繰り返す。ステップＳ１４で、設定した時間τ分経過したことを確認すると、ステップＳ１６に進み、タイマーＴｊをリセットして、ステップＳ１に戻る。これは装置本体２より取り外されて使用される操作表示ユニット３の監視と要充電報知ループであり、適当な時間を置いて繰り返されるように配慮している。
【０１１３】
操作表示ユニット３が装置本体２に装着されれば、ステップＳ１〜Ｓ１０のループで再度充電がなされ充電池８の端子電圧（充電電圧）も指定値以上の許容電圧値に回復する。
【０１１４】
本実施の形態によれば、装置本体２に、電源部７および第１本体端子Ｊ１が設けられ、操作表示ユニット３に、第１ユニット端子ＰＴ１が設けられ、装着状態で、第１本体端子Ｊ１と第１ユニット端子ＰＴ１とが接続され、装置本体２から操作表示ユニット３に電力が供給される。操作表示ユニット３には、状態検出手段および着脱ユニット側接続判別手段としての制御手段、つまりＩ／Ｏコントローラ３０およびユニットＣＰＵ４３を含む構成が設けられ、充電手段としての電源回路４５が設けられる。
【０１１５】
そして第１本体端子Ｊ１と第１ユニット端子ＰＴ１とが接続されているか否かを判別するとともに、操作表示ユニット３の状態を検出し、接続されている状態において、操作表示ユニット３が省電力状態、具体的にはバックライト消灯状態にある場合には、充電池８を急速充電し、操作表示ユニット３が動作状態、具体的にはバックライト点灯状態にある場合には、充電池８の充電を抑制することができる。操作表示ユニット３が省電力状態にある場合には、操作表示ユニット３における消費電力が小さいので、充電池８を急速充電することによって、操作表示ユニット３への供給電力が大きくなることなく、できるだけ迅速に充電して充電時間を短縮することができる。操作表示ユニット３が動作状態にある場合には、操作表示ユニット３における消費電力が大きいので、充電池８の充電を抑制することによって、操作表示ユニット３への供給電力が大きくなることを防ぐことができる。このようにして操作表示ユニット３への供給電力の削減と充電時間の短縮を図ることができ、効率良く充電することができる。
【０１１６】
また装置本体２には、第１および第２本体抵抗器Ｒ１１，Ｒ１２を含んで構成される装置本体側接続判別手段および第１および第２本体トランジスタＱ５，Ｑ６を含んで構成される電力供給停止手段が設けられ、第１本体端子Ｊ１と第１ユニット端子ＰＴ１とが接続されているか否かを判別し、接続されていない場合には、電源部７から第１本体端子Ｊ１への電力供給を停止することができる。第１本体端子Ｊ１は、表示操作ユニット３が装置本体２に装着されていない離脱状態にある場合、外部に露出している。この状態で、第１本体端子Ｊ１に電源部７から電力が供給可能な状態にあると、放電および他の物品の接触などによって、無駄に電力が消費されてしまうおそれがあるが、前述のように電源部７からの電力供給が停止されるので、電力の無駄な消費を確実に防ぐことができる。
【０１１７】
また操作表示ユニット３が動作状態にある場合、充電池８をトリクル充電するようにすれば、操作表示ユニット３が動作状態にある場合にも充電池８を少しずつ充電することができ、充電時間をさらに短縮することができる。
【０１１８】
また充電池８が装着されているか否かを判断することによって、無駄な充電処理を回避することができ、消費電力を抑えることができる。また充電池８の充電量を検出し、満充電のときには、充電しないようにして、無駄な充電処理を回避することができ、消費電力を抑えることができるとともに、充電池８が不所望に劣化することを防ぐことができる。しかもこの充電池８の装着状態と、充電量とは、充電電圧（端子電圧）に基づいて、具体的には、第７および第８ユニット抵抗器Ｒ７，Ｒ８間の電圧に基づいて検出している。このようにして検出に用いる回路を共用することができ、小形化を実現することができる。
【０１１９】
本発明の実施の他の形態として、装着状態で操作表示ユニット３が動作状態にある場合、充電池８の充電を停止するようにしてもよい。この場合、具体的は、図５に示す電源回路４５において、第２ユニットトランジスタＱ２、第２バッファＱ４ならびに第３および第４ユニット抵抗器Ｒ３，Ｒ４を含むトリクル充電回路が取り除かれた構成の電源回路が用いられる。急速充電回路の制御は、前述の実施の形態と同一にすればよい。その他の構成は、前述の構成と同様である。このような構成であっても、トリクル充電をすることによる効果を除いて同様に達成することができる。また操作表示ユニット３が動作状態にある場合、充電池８の充電を停止することによって、操作表示ユニット３が動作状態にある場合の操作表示ユニット３への供給電力を確実に小さく抑えることができる。
【０１２０】
図９は、本発明のさらに実施の他の形態の通信装置における操作表示ユニット１０３を示すブロック図である。本実施の形態の通信装置は、図１に示す前述の実施の形態の通信装置１と同様な構成を有し、通信装置１の操作表示ユニット３に選択部１０４を追加した構成であるので、同様な部分には、同様な参照符号を付してその説明を省略する。操作表示ユニット１０３は、図４に示す操作表示ユニット３の各構成に加えて、選択部１０４を有する。
【０１２１】
選択部１０４は、充電停止およびトリクル充電のいずれかを選択する選択手段である。選択部１０４は、たとえばボタンスイッチなどの機械的なスイッチによって実現される。本実施の形態では、選択部１０４は、２つのスイッチング態様を有する機械スイッチによって実現され、前記スイッチング態様のうちの一方を充電停止に対応させ、他方をトリクル充電に対応させている。
【０１２２】
ユニットＣＰＵ４３は、充電制御プログラム５４を読み出して実行し、選択部１０４のスイッチング態様から充電停止が選択されているのか、トリクル充電が選択されているのかを取得する。またユニットＣＰＵ４３は、第１本体端子Ｊ１と第１ユニット端子ＰＴ１とが接続されているか否かを判別するとともに、操作表示ユニット３の状態を検出し、接続されている状態において、操作表示ユニット３が動作状態、具体的にはバックライト点灯状態であり、かつ選択部１０４によって充電停止が選択されている場合には、充電回路４５に充電を停止させる動作指令を与える。具体的には、ユニットＣＰＵ４３は、充電回路４５の各入力端子ＩＮ１，ＩＮ２に、Ｉ／Ｏコントローラ３０から、低レベル“Ｌ”の状態データを与える。これによって、第１および第２ユニットトランジスタＱ１，Ｑ２は閉状態となり、充電池８の充電が停止される。
【０１２３】
一方ユニットＣＰＵ４３は、第１本体端子Ｊ１と第１ユニット端子ＰＴ１とが接続されているか否かを判別するとともに、操作表示ユニット３の状態を検出し、接続されている状態において、操作表示ユニット３が動作状態、具体的にはバックライト点灯状態であり、かつ選択部１０３によってトリクル充電が選択されている場合には、充電回路４５に充電池８をトリクル充電する動作指令を与える。具体的には、ユニットＣＰＵ４３は、充電回路４５の一方の入力端子ＩＮ１に、Ｉ／Ｏコントローラ３０から、低レベル“Ｌ”の状態データを与え、充電回路４５の他方の入力端子ＩＮ２に、Ｉ／Ｏコントローラ３０から、前述した図６（Ａ）に示す状態データを与える。
【０１２４】
前述したように選択部１０４によって充電停止が選択されると、操作表示ユニット３が動作状態にある場合、充電池８の充電が停止されるので、操作表示ユニット３が動作状態にある場合の操作表示ユニット３への供給電力を確実に小さく抑えることができる。したがって、操作表示ユニット３が動作状態にあり、充電池８が満充電状態である場合には、選択部１０４によって充電の停止を選択しておくことによって、無駄な電力の消費を抑制することができ、また本体装置２に設けられる電源部７の負荷を軽減することができる。
【０１２５】
また前述したように選択部１０４によってトリクル充電が選択されると、操作表示ユニット３が動作状態にある場合、充電池８がトリクル充電されるので、操作表示ユニット３が動作状態にある場合にも充電池８を少しずつ充電することができ、充電時間をさらに短縮することができる。操作表示ユニット３が動作状態にあり、満充電状態でない場合には、選択部１０４によってトリクル充電を選択することによって、充電池８が少しずつ充電され、充電時間を短縮することができる。また充電池８が少しずつ充電されることによって、操作表示ユニット３を装置本体２から離脱させても、操作表示ユニット３の動作状態を可及的長く保つことができる。
【０１２６】
本実施の形態の通信装置は、前述した実施の形態の通信装置と同様な効果を有し、さらに選択部１０４によって、充電停止およびトリクル充電を選択することによって、たとえば操作表示ユニット３の状態に応じて充電の抑制の仕方を選択することができるので、利便性がさらに向上する。
【０１２７】
本発明の実施のさらに他の形態において、前述した通信装置の構成において選択部１０４を設けず、キー入力部３４を含んで、充電停止およびトリクル充電のいずれかを選択する選択手段を構成してもよい。この場合、キー入力部３４によって利用者がユニットＣＰＵ４３に、充電停止およびトリクル充電のいずれかに対応する動作指令を与える。この動作指令は、たとえばユニット情報記憶部４２に記憶される。ユニットＣＰＵ４３は、ユニット情報記憶部４２に記憶される充電停止またはトリクル充電に対応する動作指令を取得することによって、充電停止およびトリクル充電のいずれが選択されているのかを判別することができる。このような構成であっても図９に示す通信装置と同様の効果を達成することができる。
【０１２８】
本発明の他の実施の形態において、ユニットＣＰＵ４３と、充電制御プログラム５４とを含んで前述した充電停止およびトリクル充電のいずれかを選択する選択手段を実現してもよい。本実施の形態の通信装置の構成は、前述の図１に示す通信装置１の構成と同様であるので、重複する説明を省略する。本実施の形態の通信装置における選択手段は、ユニットＣＰＵ４３と、充電制御プログラム５４とを含む。ユニットＣＰＵ４３は、充電制御プログラム５４を読み出して実行し、充電池８の充電量に応じて、充電停止およびトリクル充電のいずれかを選択する。
【０１２９】
ユニットＣＰＵ４３は、充電池８の充電量が予め定める充電量以上であるか否かを電池充電量検出手段の結果に基づいて判別する。具体的には、充電池８に第１ユニット端子ＰＴ１から供給電圧が印加されている状態で、充電池８の正極の端子電圧である充電電圧が予め定める電圧（しきい値）以上かを確認し、しきい値以上であれば充電停止を選択し、しきい値未満ならばトリクル充電を選択する。たとえば第１ユニット端子ＰＴ１の供給電圧が７．０Ｖである場合、前記予め定める電圧は、たとえば５.７５ボルト（Ｖ）以上、５.８５ボルト（Ｖ）未満に選ばれ、好ましくは５.８ボルト（Ｖ）に選ばれる。前述したように充電池８の充電量は、充電池８の充電電圧を検出することによって、検出することができる。
【０１３０】
ユニットＣＰＵ４３は、第１本体端子Ｊ１と第１ユニット端子ＰＴ１とが接続されているか否かを判別するとともに、操作表示ユニット３の状態を検出し、接続されている状態において、操作表示ユニット３が動作状態、具体的にはバックライト点灯状態であり、かつ充電停止が選択されている場合には、充電回路４５に充電を停止させる動作指令を与える。一方ユニットＣＰＵ４３は、第１本体端子Ｊ１と第１ユニット端子ＰＴ１とが接続されているか否かを判別するとともに、操作表示ユニット３の状態を検出し、接続されている状態において、操作表示ユニット３が動作状態、具体的にはバックライト点灯状態であり、かつトリクル充電が選択されている場合には、充電回路４５に充電池８をトリクル充電する動作指令を与える。その他の動作は、前述した通信装置と同様である。
【０１３１】
このような構成であっても、前述した図９に示す通信装置と同様な効果を達成することができる。さらに、選択手段による充電停止およびトリクル充電の選択は、利用者がたとえば入力手段を操作することによって行なわれるのではなく、充電池８の充電量に基づいて行なわれるので、充電停止とトリクル充電とを効率よく選択することができる。これによって、無駄な電力の消費を抑制することができ、また充電池８の充電時間を短縮することができる。
【０１３２】
本実施の形態において、選択手段は、充電池８の充電量に基づいて、充電停止およびトリクル充電のいずれかを選択しているが、本発明のさらに他の実施の形態において、選択手段は、本体装置２の状態に応じて、充電停止およびトリクル充電のいずれかを選択してもよい。本実施の形態の通信装置の選択手段は、前述の実施の形態の通信装置の選択手段と同様に、ユニットＣＰＵ４３および充電制御プログラム５４を含む。本実施の形態の通信装置の構成は、前述の図１に示す通信装置１の構成と同様であるので、重複する説明を省略する。
【０１３３】
本体装置２の本体ＣＰＵ２６は、本体プログラム記憶部２４に記憶される制御プログラムを読み出して実行し、電源部７に負荷がかかる状態、言い換えれば本体装置２の各構成部における消費電力量が大きな状態であるか否かを判断する。電源部７に負荷がかかる状態とは、本体装置２の各構成部のうち、動作時に消費電力の大きな予め定める構成部を動作させている状態であり、たとえばファクシミリ送受信およびコピーなどを実行するために、スキャナ部１８および印刷部１９などを動作させている状態である。本体ＣＰＵ２６は、電源部７に負荷がかかる状態であると判断すると、ユニットＣＰＵ４３に、この電源部７に負荷がかかる状態であることを示す所定の情報を与える。本実施の形態では、スキャナ部１８および印刷部１９のうち少なくともいずれかが動作していれば、本体ＣＰＵ２６は電源部７に負荷がかかる状態であると判断する。
【０１３４】
ユニットＣＰＵ４３は、前記電源部７に負荷がかかる状態であることを示す所定の情報を受取った場合、充電停止を選択する。またユニットＣＰＵ４３は、前記前記電源部７に負荷がかかる状態であることを示す所定の情報を受取らない場合、トリクル充電を選択する。
【０１３５】
ユニットＣＰＵ４３は、第１本体端子Ｊ１と第１ユニット端子ＰＴ１とが接続されているか否かを判別するとともに、操作表示ユニット３の状態を検出し、接続されている状態において、操作表示ユニット３が動作状態、具体的にはバックライト点灯状態であり、かつ充電停止が選択されている場合には、充電回路４５に充電を停止させる動作指令を与える。一方ユニットＣＰＵ４３は、第１本体端子Ｊ１と第１ユニット端子ＰＴ１とが接続されているか否かを判別するとともに、操作表示ユニット３の状態を検出し、接続されている状態において、操作表示ユニット３が動作状態、具体的にはバックライト点灯状態であり、かつトリクル充電が選択されている場合には、充電回路４５に充電池８をトリクル充電する動作指令を与える。その他の動作は、前述した通信装置と同様である。
【０１３６】
このような構成であっても、前述した図９に示す通信装置と同様な効果を達成することができる。さらに、選択手段による充電停止およびトリクル充電の選択は、利用者がたとえば入力手段を操作することによって行なわれるのではなく、本体装置２の状態に基づいて行なわれるので、本体装置２に設けられる電源部７の負荷を軽減することができる。
【０１３７】
本実施の形態では、本体装置２の各構成部のうちの予め定める構成部の動作に基づいて、本体ＣＰＵ２６が電源部７に負荷がかかる状態であると判断しているが、本発明の他の形態において、本体装置２の各構成部で消費される消費電力を計測し、本体ＣＰＵ２６は、計測された消費電力が予め定めるしきい値以上であるか否かを判断して、前記消費電力が予め定めるしきい位置以上であれば、ユニットＣＰＵ４３に、電源部７に負荷がかかる状態であることを示す所定の情報を与えてもよい。この場合であっても同様な効果を実現することができる。
【０１３８】
さらに本発明の他の実施の形態において、前述した通信装置の構成を組み合わせ、選択手段が、充電池８の充電量および本体装置２の状態に応じて、充電停止およびトリクル充電を選択してもよい。このような通信装置では、無駄な電力の消費を抑制することができ、また充電池８の充電時間を短縮することができ、さらに本体装置２に設けられる電源部７の負荷を軽減することができる。
【０１３９】
図１０は、本発明のさらに他の実施の形態である通信装置における操作表示ユニット２０３の構成を示すブロック図であり、図１１は操作表示ユニット２０３の電源回路１４５を示すブロック図である。本実施の通信装置は、前述の図１に示す実施の形態の通信装置１と同様な構成を有し、操作表示ユニット３に操作表示ユニットが通信装置本体に装着されているか、および操作表示ユニットが通信装置本体から離脱しているかを検出する着脱検出部２０４を付加し、操作表示ユニット３の電源回路４５を図１１に示す電源回路１４５に代えた構成であるので、同様な部分には、同様な参照符号を付してその説明を省略する。
【０１４０】
本実施の形態における操作表示ユニット２０３には、操作表示ユニット２０３が通信装置本体に装着されているか、および操作表示ユニット２０３が通信装置本体から離脱しているかを検出する着脱検出部２０４が設けられる。着脱検出手段２０４は、たとえば操作表示ユニット２０３が通信装置本体に装着されている装着状態と、操作表示ユニット２０３が通信装置本体から離脱した離脱状態とで、スイッチング態様が変化する機械的なスイッチを含んで実現される。ユニットＣＰＵ４３は、前記スイッチのスイッチング態様を判別することによって、操作表示ユニット２０３が通信装置本体に装着されているか、および操作表示ユニット２０３が通信装置本体から離脱しているかを判別することができる。操作表示ユニット２０３が通信装置本体に装着されている装着状態では、本体コネクタ５とユニットコネクタ６とが接続される。また操作表示ユニットが通信装置本体から離脱した離脱状態では、本体コネクタ５とユニットコネクタ６とは接続されていない。
【０１４１】
電源回路１４５は、前述した図５に示す電源回路４５の各構成に加えて、スイッチＳＷを含む。スイッチＳＷは、充電池８の正極とＤＣ／ＤＣコンバータ６０の入力ポートとの間に直列に接続される。具体的にはスイッチＳＷの一端子が、第１フューズＦ１を介して充電池８に接続され、スイッチＳＷの他端子が、第１ダイオードＤ１のアノードに接続される。スイッチＳＷは、一端子および他端子間が導通する導通状態と、一端子および他端子間を非導通とする非導通状態とを選択する。以後、スイッチＳＷの一端子および他端子間が導通する導通状態を、閉結状態と記載し、スイッチＳＷの一端子および他端子が非導通となる状態を、開放状態と記載する場合がある。スイッチＳＷは、ＵＳＢインターフェース４０を介してユニットＣＰＵ４３から与えられる制御指令に基づいて動作する。スイッチＳＷは、たとえば半導体スイッチによって実現される。スイッチＳＷは、たとえばＵＳＢインターフェース４０から所定の電圧を与えられた状態で開放状態となり、ＵＳＢインターフェース４０から所定の電圧が与えられない状態で閉鎖状態となる。
【０１４２】
また前述したようにユニットＣＰＵ４３には、第９および第１０ユニット抵抗器Ｒ９，Ｒ１０で分圧された中間点の接地電位に対する電圧が、ＡＤ変換されてＩ／Ｏコントローラ３０から情報として与えられる。ユニットＣＰＵ４３は、充電制御プログラム５４を読み出して実行し、前記Ｉ／Ｏコントローラ３０から与えられる情報を受取ることによって、電力受給用接続手段としての電力受給用端子である第１ユニット端子ＰＴ１に、電力供給用接続手段としての電力供給用端子である第１本体端子Ｊ１を介して電力が供給されているか否かを判別する。
【０１４３】
ユニットＣＰＵ４３が、操作表示ユニット２０３が通信装置本体に装着されていると判別し、かつ第１ユニット端子ＰＴ１に第１本体端子Ｊ１を介して電力が供給されていないと判別すると、次にユニットＣＰＵ４３は、装置本体２との間で無線通信が可能であるか否かを判別する。装置本体２との間で無線通信が可能であるか否かを判別するために、ユニットＣＰＵ４３は、ユニット無線送受信部３８を制御して所定の情報をユニットアンテナ１０から電波２９として送出させる。本体無線送信部２１は、本体アンテナ９を介して電波２９として到来する所定の情報を受信すると、この所定の情報に対応する応答情報を、本体アンテナ９から電波２９として送出する。ユニット無線送信部３８は、ユニットアンテナ１０を介して電波２９として到来する応答情報を受信すると、ユニットＣＰＵ４３にこの応答情報を受信したことを通知する。これによって、ユニット無線送信部３８からの通知によって、ユニットＣＰＵ４３は、装置本体２との間で無線通信が可能であるか否かを判別することができる。
【０１４４】
ユニットＣＰＵ４３が、操作表示ユニット２０３が通信装置本体に装着されていると判別し、かつ第１本体端子Ｊ１から第１ユニット端子ＰＴ１に電力が供給されていないと判別し、さらに本体無線送受信部２１との無線通信が可能ではないと判別した場合、ユニットＣＰＵ４３は、充電池８を充電することができない状態であると判断する。充電池８を充電することができない状態は、装置本体２の電源が停止した状態を含む。電源が停止した状態とは、装置本体２に設けられる電源部７に、商用電源から電力が供給されない状態、または装置本体２の電源スイッチがＯＦＦとなっている状態である。装置本体２の電源スイッチがＯＦＦとなっている状態では、商用電源から電源部７に電力が供給されているが、電源部７から装置本体２の各部に電力が供給されていない。
【０１４５】
ユニットＣＰＵ４３が、充電池８を充電することができない状態であると判断すると、このユニットＣＰＵ４３は、スイッチＳＷを制御して、スイッチＳＷを開放状態にする。これによって充電池８から操作表示ユニット３への電力供給が停止される。したがって充電池８を充電することができない状態において、充電池８の無駄な電力の消耗を防ぐことができる。前述したようにスイッチＳＷは、ＵＳＢインターフェース４０から所定の電圧が与えられない状態で閉鎖状態となるので、ユニットＣＰＵ４３に電力が供給されない場合であっても閉鎖状態が保持される。本実施の形態では、電力停止手段は、ユニットＣＰＵ４３と、スイッチＳＷを含む。
【０１４６】
電源が停止した状態から、第１本体端子Ｊ１に電力が供給されると、第１ユニット端子ＰＴ１を介して操作表示ユニット３に再び電力が供給される。したがって、操作表示ユニット３の各構成に電力が供給される。ここでユニットＣＰＵ４３が、第１本体端子Ｊ１から第１ユニット端子ＰＴ１に電力が供給されていると判別した場合、スイッチＳＷを制御して、スイッチＳＷを閉結状態にする。これによって充電池８から操作表示ユニット３に再び電力を供給することができる。
【０１４７】
本実施の形態では、操作表示ユニット２０３が通信装置本体に装着されており、第１ユニット端子ＰＴ１に第１本体端子Ｊ１を介して電力が供給されておらず、かつ装置本体２との間で無線通信ができない場合に、スイッチＳＷを開放状態としているが、本発明のさらに他の実施の形態として、ユニットＣＰＵ４３が、操作表示ユニット２０３が通信装置本体に装着されてると判別し、第１本体端子Ｊ１から第１ユニット端子ＰＴ１に電力が供給されていないと判別した場合、ユニットＣＰＵ４３が、スイッチＳＷを制御して、スイッチＳＷを開放状態としてもよい。この場合であっても、同様な効果を達成することができる。
【０１４８】
本発明のさらに他の実施の形態として、本体無線送受信部２１が、所定の情報を予め定める間隔で、本体アンテナ９から電波２９として送出し、ユニット無線送受信部３８がユニットアンテナ１０を介して電波２９として到来する前記所定の情報を受信し、ユニットＣＰＵ４３にこの所定の情報を受信したことを通知する構成としてもよい。このような構成であっても、ユニットＣＰＵ４３は、装置本体２との間で無線通信が可能であるか否かを判別することができる。この場合であっても、同様な効果を達成することができる。
【０１４９】
前述の実施の形態は、本発明の例示に過ぎず、本発明の範囲内で構成を変更することができる。たとえば通信装置以外の電子装置に適用してもよい。
【図面の簡単な説明】
【０１５０】
【図１】本発明の実施の一形態である通信装置１を装置本体２に操作表示ユニット３が装着された状態で示す正面図ある。
【図２】通信装置１を装置本体２から操作表示ユニット３が離脱された状態で示す正面図ある。
【図３】装置本体２の電気的構成を示すブロック図である。
【図４】操作表示ユニット３の電気的構成を示すブロック図である。
【図５】電源回路４５の構成を示す電子回路図である。
【図６】充電回路４５の充電電流制御の動作を示すタイミングチャートである。
【図７】装置本体２の給電停止スイッチ回路２８の構成を示す電子回路図である。
【図８】電源回路４５の制御動作を示すフローチャートである。
【図９】本発明のさらに実施の他の形態の通信装置における操作表示ユニット１０３を示すブロック図である。
【図１０】本発明のさらに他の実施の形態である通信装置における操作表示ユニット２０３の構成を示すブロック図である。
【図１１】操作表示ユニット２０３の電源回路１４５を示すブロック図である。
【符号の説明】
【０１５１】
１  通信装置
２  装置本体
３，１０３  操作表示ユニット
５，６  コネクタ
７  電源部
８  充電池
２６，４３  ＣＰＵ
２８  給電停止スイッチ回路
３０  Ｉ／Ｏコントローラ
４５，１４５  電源回路
１０４  選択部
【図１】
2004282985.tif 000003
【図２】
2004282985.tif 000004
【図３】
2004282985.tif 000005
【図４】
2004282985.tif 000006
【図５】
2004282985.tif 000007
【図６】
2004282985.tif 000008
【図７】
2004282985.tif 000009
【図８】
2004282985.tif 000010
【図９】
2004282985.tif 000011
【図１０】
2004282985.tif 000012
【図１１】
2004282985.tif 000013